(57)【要約】【課題】バルブカバーの金型費を安価にする。【解決手段】室外機１のケーシング３外側に露出させて設けられる配管接続バルブ２に、これを覆うバルブカバー８を設けると共に、このバルブカバー８内の前記配管接続バルブ２下方に配管接続バルブ２や冷媒配管４から滴下する結露水を補水する露受け部１０を設け、この露受け部１０に備えた排水樋１１にて前記ケーシング３内に結露水を排水するものに於いて、前記露受け部１０を柔軟性ゴムにてバルブカバー８とは別体に形成し、バルブカバー８内に着脱自在に取り付けようにする。【選択図】図３
2013217600.tif 000002
【特許請求の範囲】
【請求項１】
室外機のケーシング外側に露出させて設けられる配管接続バルブに、これを覆うバルブカバーを設けると共に、このバルブカバー内の前記配管接続バルブ下方に配管接続バルブや冷媒配管から滴下する結露水を補水する露受け部を設け、この露受け部に備えた排水樋にて前記ケーシング内に結露水を排水するものに於いて、前記露受け部を柔軟性ゴムにてバルブカバーとは別体に形成し、バルブカバー内に着脱自在に取り付けたことを特徴とする空気調和機の室外機。
【発明の詳細な説明】
【技術分野】
【０００１】
この発明は、空気調和機の室外機の側面に取付け、配管接続バルブや冷媒配管を覆うバルブカバーの構造に関するものである。
【背景技術】
【０００２】
従来より空気調和機の室外機には、室内機に冷媒を循環させるために、冷媒配管を接続すると共に、冷媒の漏洩を防止するために、配管接続バルブが設けられている。この配管接続バルブは室外機のケーシング側面に露出して設けられる。近年、室外機の美観向上のために、配管接続バルブを覆うバルブカバーが取り付けられるようになった。このバルブカバーには、配管取出口が形成され、室内機に冷媒を循環させるための冷媒配管がこの配管取出口を通して取付けられている。そして、配管接続バルブと冷媒配管は、空気調和機の冷房運転時には、低温になり空気中の水分が表面に結露し、その結露水がバルブカバー内に滴下する。また、降雨時には前記配管取出口から雨水がバルブカバー内に侵入することがある。
【０００３】
そして、バルブカバー内の配管接続バルブ下方には、滴下する結露水を補水してケーシング内に導いて排水するための樋がバルブカバーの内側からケーシングに向かって一体に形成されている。また、前記樋の先端はケーシングに設けられた開口部から内部に挿入される。（例えば、特許文献１参照）
【先行技術文献】
【特許文献】
【０００４】
【特許文献１】特開平６−７４４９２号公報
【発明の概要】
【発明が解決しようとする課題】
【０００５】
このように、バルブカバーと樋を一体に成形するには複雑で高価な金型が必要になる。また、暖房専用の空気調和機では配管接続バルブに結露水が発生しないので、この樋の必要がなく、共通部品として使用するにはコスト高になるものであった。
【課題を解決するための手段】
【０００６】
この発明はこの点に着目し上記欠点を解決する為、特にその構成を、室外機のケーシング外側に露出させて設けられる配管接続バルブに、これを覆うバルブカバーを設けると共に、このバルブカバー内の前記配管接続バルブ下方に配管接続バルブや冷媒配管から滴下する結露水を補水する露受け部を設け、この露受け部に備えた排水樋にて前記ケーシング内に結露水を排水するものに於いて、前記露受け部を柔軟性ゴムにてバルブカバーとは別体に形成し、バルブカバー内に着脱自在に取り付けたものである。
【発明の効果】
【０００７】
この発明によれば、露受け部を柔軟性ゴムにてバルブカバーとは別体に形成し、バルブカバー内に着脱自在に取り付けたので、バルブカバーの金型は単純な構造にすることができ安価に製造することができる。また、暖房専用の空気調和機では露受け部の必要が無いのでよけいな費用が発生せず、簡単に共通部品として使用できる。露受け部を柔軟性ゴムによってバルブカバーに密着することができ、露受け部とバルブカバーの間に発生した隙間から結露水が漏れることを防止できる。また、露受け部とバルブカバーの間にビビリ音が発生することを防止できるものである。
【図面の簡単な説明】
【０００８】
【図１】この発明一実施例のバルブカバーの一部を透視した斜視図。
【図２】同バルブカバーの斜視図。
【図３】同バルブカバーから露受け部を外した状態の斜視図。
【図４】同要部の縦断面図。
【発明を実施するための形態】
【０００９】
次に、この発明に係る空気調和機の室外機を図面に示された一実施例で説明する。
１は空気調和機の室外機で、配管接続バルブ２が外枠を形成するケーシング３側面の外側に露出して設けられている。前記室外機１内には冷凍サイクルの一部を構成する圧縮機（図示せず）や熱交換器（図示せず）等が設けられ、この熱交換器に送風する送風ファン（図示せず）や送風モータ（図示せず）、その他制御部品等が納められている。
【００１０】
前記配管接続バルブ２には利用側熱交換器や室内送風ファンを内部に備えた室内機（図示せず）と接続する冷媒配管４が接続されている。この冷媒配管４は室内機と室外機１の間の距離によってその長さを施工時に調整して取付けられるものであり、２本の銅管を１セットとして断熱材で被覆され、銅管の端部はフレアー加工によって、配管接続バルブ２に冷凍サイクルのガスが漏れないように密着して接続されるものである。
【００１１】
前記ケーシング３は前面に円形の空気の吹出口５を、背面と左側面に空気の吸込口（図示せず）を設け、右側面には前記配管接続バルブ２とサービス口６を備えている。このサービス口６は室内機と電気的に接続される連絡電線（図示せず）を接続するためのもので、サービス口６を覆う蓋７を備えている。また、前記吹出口５は格子状ガード８で覆われ内部の前記送風ファンに前方から接触しないように構成されている。
【００１２】
前記ケーシング３の右側面の配管接続バルブ２とサービス口６を覆うように、バルブカバー８が取り付けられる。このバルブカバー８の背面側には、配管取出口９が形成され、前記室内機と接続する冷媒配管４が配管取出口９を通して設けられる。
【００１３】
前記バルブカバー８内部の下方には、着脱自在の露受け部１０を柔軟性のゴム材料で形成し、この露受け部１０はバルブカバー８の内面と密着するように、バルブカバー８内面の寸法よりもやや大きく形成することで、前記露受け部１０とバルブカバー８の間に隙間ができて、この隙間から結露水の滴下時に露受け部１０に衝突して飛び散った粒が染み出すことを防止するものである。また、露受け部１０の略中央には露受け部１０の上面に形成した傾斜によって集められた結露水をケーシング３内に導く排水樋１１がケーシング３に向かって延出される。この排水樋１１の先端はケーシング３右側面下部に備えた樋用穴１２に挿入される。
【００１４】
前記室外機１の底部には機能部品が配置されるベース１３を備え、このベース１３には熱交換器やそれぞれの配管等で発生した結露水を排水する排水路１４とこの排水路１４に流れた結露水を最終的に室外機１外に排水する排水口（図示せず）を備えている。この排水口にゴムホース等を接続してベランダ等の雨水を排水する排水路へ結露水を導くものである。
【００１５】
そして、前記露受け部１０をバルブカバー８とは別体に形成することでバルブカバー８の金型を単純な構造にすることができ金型を安価に製造することができる。また、暖房専用の空気調和機等の配管接続バルブ２の結露対策が必要でない機種で共通にバルブカバー８を使用する場合には、単に露受け部１０を取り付けないことで、余計な費用を掛けずに共通部品として使用できるものである。
【００１６】
また、露受け部１０は柔軟性のゴム材料で形成されているので、室外機１内部に備えた前記圧縮機等から発生する振動により、露受け部１０とバルブカバー８の間の接触面にビビリ音の騒音が発生するようなことがないものである。
【００１７】
このように、露受け部１０を柔軟性ゴムにてバルブカバー８とは別体に形成し、バルブカバー８内に着脱自在に取り付けたので、バルブカバー８の金型は単純な構造にすることができ安価に製造することができる。
【００１８】
また、暖房専用の空気調和機では露受け部１０の必要が無いのでよけいな費用が発生せず、簡単に共通部品として使用できる。また、露受け部１０を柔軟性ゴムによってバルブカバー８に密着することができ、露受け部１０とバルブカバー８の間に発生した隙間から結露水が漏れることを防止できる。また、露受け部１０とバルブカバー８の間にビビリ音が発生することを防止できるものである。
【符号の説明】
【００１９】
１    室外機
２    配管接続バルブ
３    ケーシング
４    冷媒配管
８    バルブカバー
１０    露受け部
１１    排水樋
【図１】
2013217600.tif 000003
【図２】
2013217600.tif 000004
【図３】
2013217600.tif 000005
【図４】
2013217600.tif 000006